(57)【特許請求の範囲】
【請求項１】
有底筒状の胴筒部の上端に口筒部を立設した容器本体と、該容器本体の口筒部に螺合組付きするネジ筒を有する有頂筒状のキャップ体とから構成されたネジキャップ付き容器であって、前記キャップ体に設けられたリング体の外周面下端部を、前記胴筒部の内周面上端部に密摺接させてシール機能部を構成し、前記容器本体とキャップ体との間に形成した内部気体のリーク通路部の一部として螺旋通路部を形成し、該螺旋通路部を、前記キャップ体に設けた垂下筒片と、該垂下筒片に上半部分を外嵌させたリング体との間に形成して成るネジキャップ付き容器。
【請求項２】
胴筒部の上端に拡径する折曲段部を介して口筒部を立設して、前記口筒部とリング体との間に、リーク通路部の一部が位置する空所を形成した請求項１に記載のネジキャップ付き容器。
【発明の詳細な説明】
【技術分野】
【０００１】
本発明は、内部に発生した高圧を自然にリークして、内部を常圧状態に維持する、リーク機能付きのネジキャップ付き容器に関するものである。
【背景技術】
【０００２】
リーク機能付き容器として、例えば特開２００３−２４６３４１公報がある。この従来技術に示された技術は、容器本体と蓋とから構成され、蓋が、容器内のガスを容器外部へ放出するガス抜き手段を有し、このガス抜き手段は、面部のガス抜き孔を含む領域から容器の内方に向って突出する、面部と一体に成形された凸部を有し、この凸部が、容器の内圧が所定圧力未満の圧力で閉じ、容器の内圧が所定以上の圧力となると弾性変形によってガス抜き孔と容器内部を連通させるガス抜き溝を形成する切込みを有するものとなっており、弁作用を利用したガス抜き孔（リーク通路）の開閉により、容器内のガス抜きを達成しようとするものである。
【先行技術文献】
【特許文献】
【０００３】
【特許文献１】特開２００３−２４６３４１公報
【発明の概要】
【発明が解決しようとする課題】
【０００４】
上記した従来技術は、容器内に高圧が発生すると、この高圧を確実にリークさせることになり、高圧のリーク達成後には、容器を密閉することができるのであるが、可動部分である逆止弁機能部分を有するので構造が複雑になること、またガス抜き孔には、容器に収納した内容物に対する通過阻止能力が全くないので、ガス抜き孔に侵入した内容物は、そのまま容器外に排出されて周囲を汚すこと、と云う問題があった。
【０００５】
そこで本発明は、上記した従来技術における問題点を解消すべく創案されたもので、逆止弁機能部分を有することなく、容器内に発生したガス等の気体を速やかに通過させるが、内容物の通過には長時間を要するリーク機能部分を設けることを技術的課題とし、もって高圧化による容器の破損や内容物の飛散による汚れ発生を防止することにより、容器の安全な使用状態を得ることを目的とする。
【課題を解決するための手段】
【０００６】
上記技術的課題を解決するための、本発明の主たる構成は、
有底筒状の胴筒部の上端に口筒部を立設した容器本体と、この容器本体の口筒部に螺合組付きするネジ筒を有する有頂筒状のキャップ体とから構成されるネジキャップ付き容器であること、
キャップ体に設けられたリング体の外周面下端部を、容器本体の胴筒部の内周面上端部に密摺接させてシール機能部を構成すること、
容器本体とキャップ体との間に形成した内部気体のリーク通路部の一部として螺旋通路部を形成すること、
この螺旋通路部を、キャップ体に設けた垂下筒片と、この垂下筒片に上半部分を外嵌させたリング体との間に形成すること、
にある。
【０００７】
容器本体にキャップ体を螺着させた状態では、胴筒部上端部にリング体下端部が密嵌入してシール機能部が形成されて、容器は閉鎖状態となり、内容物はこの閉鎖状態の容器内に収容される。また、この状態で容器内に発生したガス等の気体は、リーク通路部を通って常に排出されるので、容器内に高圧が発生することを確実に防止する。
【０００８】
容器本体とキャップ体は、口筒部とネジ筒を螺合させて閉鎖状態に組付くのであるが、螺合組付きする口筒部とネジ筒の間の螺合結合部分は、気密性を発揮することなく、気体の通過を許すリーク通路部の一部を構成することになる。
【０００９】
リーク通路部の一部として形成された螺旋通路部は、螺旋形成によりその通路長が必然的に長くなるので、侵入した内容物の通過に対して大きな遅延作用を及ぼすことになり、また曲がった通路形状となるので、侵入した内容物はスムーズな移動が阻害されて、この螺旋通路部内に留まり易くなる。なお、ここで云う「遅延作用」とは、螺旋通路部を通過するのに要する時間を長くする作用を意味している。
【００１０】
この螺旋通路部は、嵌合組付けされるキャップ体の垂下筒片とリング体の間に形成されるので、その形成が容易である。
【００１１】
また、螺旋通路部の螺旋のピッチを、例えば口筒部の螺条に比べて小さくすることにより螺旋通路部の通路長を長くし、螺旋通路部の通路面積を、この螺旋通路部に侵入した液状の内容物が、気体の通過を妨げることなく通路内に位置する値の範囲内で、できる限り小さい値に設定することが可能である。
【００１２】
螺旋通路部の通路長を長くし、螺旋通路部の通路面積を、この螺旋通路部に侵入した内容物が、気体の通過を妨げることなく通路内に位置する値の範囲内で、できる限り小さい値に設定した場合には、螺旋通路部内に侵入した液状の内容物の通過に対して大きな遅延作用を及ぼすことができると共に、内容物の移動に対して大きな抵抗力を作用させるので、この内容物を螺旋通路部内に留める作用が大きくなる。なお、螺旋通路部内に内容物が留まっても、この内容物が気体の通過、すなわちリーク動作に支障を与えることはない。
【００１３】
また、本発明の別の構成は、上記した主たる構成に加えて、胴筒部の上端に拡径する折曲段部を介して口筒部を立設して、口筒部とリング体との間に、リーク通路部の一部が位置する空所を形成した、ものである。
【００１４】
口筒部とリング体との間に、リーク通路部の一部が位置する空所を形成したものにあっては、例え内容物が螺旋通路部を通過しても、この螺旋通路部を通過した内容物は、空所の底部、すなわち折曲段部上に落下して、容器本体の口筒部とキャップ体との間に形成されるリーク通路部部分に侵入しないので、容器本体外に漏出することがない。
【００１５】
なお、この空所に位置した内容物は、キャップ体を容器本体から螺脱させて容器を開放させた際に、空所から胴筒部内周面を伝わって胴筒部内に戻る。
【発明の効果】
【００１６】
本発明は、上記した構成となっているので、以下に示す効果を奏する。
本発明の主たる構成にあっては、リーク通路部により高くなった内圧を確実に逃がして消滅させることができ、この高圧発生防止動作は、常に機能しているものであるので、例えガスの発生し続けている場合でも、容器内の高圧発生を確実に阻止することができ、これにより高圧化による容器の破損や内容物の飛散を防止して、容器の安全使用を確保することができる。
【００１７】
リーク通路部の螺旋通路部は、気体の通過し易さを確保した状態で、通過しようとする内容物に対してきわめて大きな遅延作用を及ぼすので、内容物が螺旋通路部内に留まっている内に容器内に発生した高圧を消滅させることができ、これによって内容物が気体と一緒にリーク通路部を通過して容器外に漏出して、周囲を汚すと云う好ましくない事態の発生が殆どなく、容器の安全使用を維持できると共に、衛生的に好ましい状態での使用を得ることができる。
【００１８】
内容物に対して大きい遅延作用を及ぼす螺旋通路部は、垂下筒片とリング体との組合せ部分に形成されるので、所望する構造に構成するのが容易であり、これにより簡単にかつ適正に実施することが可能となる。
【００１９】
螺旋通路部の通路長を長くすると共に、螺旋通路部の通路面積を、この螺旋通路部に侵入した内容物が、気体の通過を妨げることなく通路内に位置する値の範囲内で、できる限り小さい値に設定した場合には、侵入した内容物の移動に対してより大きな遅延作用を及ぼすことができると共に、例え内容物が螺旋通路部に残留状態で留まっても、この内容物が気体の通過、すなわちリーク動作に支障を与えることはないので、リーク機能を維持して容器の安全性を確保することができる。
【００２０】
口筒部とリング体との間に、リーク通路部の一部が位置する空所を形成したものにあっては、例え内容物が螺旋通路部を通過しても、容器本体外に漏出することがなく、きわめて高い内容物漏出防止作用を発揮することができる。
【図面の簡単な説明】
【００２１】
【図１】本発明の実施形態例を示す、半縦断した全体正面図である。
【図２】本発明の図１に示した実施形態例の要部を示す、要部拡大縦断面図である。
【発明を実施するための形態】
【００２２】
以下、本発明によるネジキャップ付き容器の一実施形態例を、図面を参照しながら説明する。
【００２３】
本発明によるネジキャップ付き容器は、容器本体１とキャップ体７とから構成され、容器本体１は、液状の内容物（図示省略）を収容する有底筒状の胴筒部２と、この胴筒部２に上端に立設された口筒部４とを有し、またキャップ体７は、ドーム状の有頂筒形状をした頂壁８と、この頂壁８の下端から垂下設されたネジ筒１０とを有しており、容器本体１およびキャップ体７共に合成樹脂により成形されている。
【００２４】
容器本体１の胴筒部２の内周面上端部は平滑に形成されており、また口筒部４は、胴筒部２の上端に拡径した折曲段部３を介して連設されていて、その外周面上半部分には螺条５が刻設されており、この口筒部４の上端面には、この上端面を放射方向に横切る浅い横溝部１９（図２参照）が形成されている。なお、口筒部４の外周面下端部に周設された補強リング６は、広口構造となっている口筒部４を剛的に補強するものであるが、容器本体１を広口容器として２軸延伸ブロー成形する場合には、プリフォームを支持するネックリングとして機能する。
【００２５】
キャップ体７の頂壁８下端には、外鍔壁９を介して口筒部４に螺合するネジ筒１０が垂下設されているが、このネジ筒１０を周端に垂下設した外鍔壁９の下面には、内側から順に垂下筒片１２とインナーリング１１（図２参照）が垂下設されており、高さの低いインナーリング１１に円筒状のリング体１３（図２参照）が嵌入組付けされている。
【００２６】
リング体１３は、容器の閉鎖状態で胴筒部２の内周面上端部に密嵌入する外周面下端部を平滑にして、胴筒部２上端部との間でシール機能部２０を構成し、垂下筒片１２に外嵌した外周面上半部分には、螺条５に比べて細かくピッチの小さい螺条を刻設して、垂下筒片１２との間にリーク通路部１４の主要部分を構成する螺旋通路部１５を形成している。
【００２７】
容器本体１とキャップ体７の間に形成されるリーク通路部１４（以下、図２参照）は、螺旋通路部１５と、リング体１３の上端に形成された欠溝部１６と、リング体１３を嵌め込み固定したインナーリング１１の内周面に縦溝状に刻設された縦溝部１７と、インナーリング１１と口筒部４の間に形成された隙間１８と、口筒部４の上端面に形成された横溝部１９と、口筒部４とネジ筒１０の螺合部分とから構成されており、容器内の高圧状態の気体ｋは、螺旋通路部１５から、欠溝部１６、縦溝部１７、隙間１８、横溝部１９そして口筒部４とネジ筒１０の螺合部分を通って容器外にリークされる。
【００２８】
このリーク通路部１４の縦溝部１７の下流側開口部は、折曲段部３を底部として口筒部４とリング体１３との間に形成される空所ｓに開放されているので、内容物が螺旋通路部１５から欠溝部１６と縦溝部１７を通過してきても、縦溝部１７から出たところで自重により空所ｓの底部、すなわち折曲段部３の上に落下してしまい、隙間１８に侵入しないので、容器外への漏出は発生しない。
【００２９】
この空所ｓの底部に位置した内容物は、容器本体１からキャップ体７を螺脱させて容器を開放した際に、自重により胴筒部２を伝わって胴部筒２内に流下して戻る。
【００３０】
また、螺旋通路部１５は、長い通路長により侵入した内容物の移動距離を長くできるので、通過しようとする内容物に対してきわめて効果的に遅延作用を及ぼすことになる。これにより螺旋通路部１５に内容物が留まっている間に気体ｋのリーク動作を完了させることができ、また通路面積およびピッチが小さく、その流路面積は、螺旋通路部１５に侵入した内容物が、気体の通過を妨げることなく通路内に位置できる範囲内で、できる限り小さく設定されているので、この螺旋通路部１５内に内容物が侵入して残留した状態での気体ｋのリーク動作は、残留している内容物に殆ど阻害されることなく行われる。
【００３１】
例えば、内容物である二剤を一緒に入れて容器を振る等して攪拌混合して使用する毛染め剤の場合には、攪拌混合された液状の内容物の一部が高圧気体ｋと共に螺旋通路部１５内に侵入することになるが、侵入した内容物が螺旋通路部１５を通過するのに長時間を要することになるのに対して、攪拌混合により発生した高圧気体ｋは、この螺旋通路部１５を通って短時間に内にリークされるため、内容物の漏出を生じることなく、高圧気体ｋをリークさせることができる。
【００３２】
なお、上記説明にあっては、リング体１３に螺旋条を刻設して螺旋通路部１５を形成したが、垂下筒片１２側に螺旋条を刻設して螺旋通路部１５を形成しても良く、またシール機能部２０は、胴筒部２の内周面上端部とリング体１３の外周面下端部の両方を平滑面に構成した例を示したが、一方側（望ましくはリング体１３側）に突出高さの小さいシール条を周設して構成しても良い。
【産業上の利用可能性】
【００３３】
本発明のネジキャップ付き容器は上記説明したように、閉鎖状態で内部に発生した高圧を何時でもリークさせて安全性を確保できるものであり、これにより内容物を収納することにより継続的に内圧が高くなる収納容器として幅広い利用展開が期待される。
【符号の説明】
【００３４】
１  ；容器本体
２  ；胴筒部
３  ；折曲段部
４  ；口筒部
５  ；螺条
６  ；補強リング
７  ；キャップ体
８  ；頂壁
９  ；外鍔壁
１０；ネジ筒
１１；インナーリング
１２；垂下筒片
１３；リング体
１４；リーク通路部
１５；螺旋通路部
１６；欠溝部
１７；縦溝部
１８；隙間
１９；横溝部
２０；シール機能部
ｓ  ；空所
ｋ  ；気体
【図１】
0005464519.tif 000002
【図２】
0005464519.tif 000003